(57)【要約】本発明は、スポーツ・イベントに関するリアルタイム情報をモニタリングし、これにアクセスするためにスポーツ愛好家によって使用されるポータブル・ビデオ・デコーダ装置（１０５０）に関する。本発明は受信機（１０５０）を含む。該受信機は、タッチスクリーン・ディスプレイ、キーパッド、オーディオおよびその他のメディアの入出力ポートを含み、ユーザーがライブ・スポーツ・イベントの統計をモニタリングし、さらにイベントに関係する最新の情報にアクセスすることを許容する。ソース・メディア・フィードから導かれる、イベントに関係する複数のメディア・フィードを送信するための送信機スキーム（１０１５）も開示されている。
2008533766.tif 000002
【特許請求の範囲】
【請求項１】
複数のメディア・フィードからメディア・フィードを選択する方法であって：
無線式に送信される第一のメディア・フィードを受信する段階と；
該メディア・フィードを出力インターフェースへの出力のためにレンダリングする段階と；
スイッチの作動に反応して第二のメディア・フィードを選択する段階とを有しており、
前記第一のメディア・フィードは第一のインターネット・プロトコル（IP）アドレスおよびポート番号に対応し、前記第二のメディア・フィードは第二のIPアドレスおよびポート番号に対応する、方法。
【請求項２】
メディア・フィードを対応するIPアドレスおよびポート番号に関連付ける記述情報に鑑みて実行される請求項１記載の方法であって、前記記述情報が前記第一のメディア・フィードが受信されるより前に受領されることを特徴とする方法。
【請求項３】
前記第一のメディア・フィードがビデオ・フィードであり、前記第二のメディア・フィードがオーディオ・フィードおよび情報フィードのうち少なくとも一つから選択される、請求項１記載の方法。
【請求項４】
前記第二のメディア・フィードを受信する段階と；
情報フィードである第三のメディア・フィードを受信する段階と；
前記第一のフィード、第二のフィードおよび第三のフィードの組み合わせをあるソフトキーにマッピングする段階とをさらに有しており、前記マッピングする段階後に前記ソフトキーが作動させられると前記第一のフィード、第二のフィードおよび第三のフィードが選択され、レンダリングされる、請求項１記載の方法。
【請求項５】
前記第一のメディア・フィードがビデオ・フィードを表しており、前記第二のメディア・フィードがデータ・フィードを表しており、両フィードが組み合わされてあるスポーツに関連する領域をレンダリングし、前記領域がリアルタイムのスポーツ・イベントに対応する、請求項１記載の方法。
【請求項６】
前記IPアドレスがマルチキャスト送信を介して受信される、請求項１記載の方法。
【請求項７】
複数のメディア・フィードをパーソナル・モニタリング装置に送信する方法であって：
第一のメディア源フィードを受信する段階と；
第二のメディア源フィードを受信する段階と；
前記第一のメディア源および前記第二のメディア源ならびにある第一および第二のメディア・フィードを無線式に送信する段階とを有しており、前記第一のメディア・フィードは第一のIPアドレスおよびポート番号を割り当てられており、前記第二のメディア・フィードは第二のIPアドレスおよびポート番号を割り当てられている、方法。
【請求項８】
前記第一のメディア・フィードがある第一のフォーマットから第二のフォーマットにトランスコードされる、請求項７記載の方法。
【請求項９】
対応するメディア・フィードを送信するために使われるのがどのIPアドレスおよびIPポートであるかを識別するプログラム情報が送信される、請求項７記載の方法。
【請求項１０】
各メディア・フィードが一意的なIPアドレスおよびポート番号を割り当てられている、送信された複数のメディア・フィードを受信する受信機と；
メディア・フィードを対応するIPアドレスおよびポート・アドレスに関連付ける情報を格納するメモリと；
キーの使用によって選択されたメディア・フィードをレンダリングする出力装置、
とを有するパーソナル・モニタリング装置。
【請求項１１】
前記モニタリング装置が前記複数のメディア・フィードからメディア・フィードを選択するのが、該メディア・フィードに対応するマルチキャストIPアドレスおよびポートを結び合わせることによってである、請求項１０記載の装置。
【請求項１２】
前記出力装置が、リアルタイムのスポーツ・イベントに対応する領域をレンダリングするために使用される、請求項１０記載の装置。
【発明の詳細な説明】
【技術分野】
【０００１】
本発明は、ビデオ・デコーダ装置の分野に、特にビデオ・コンテンツの複数ストリームを受信できるポータブル・ビデオ・デコーダ装置に関する。
【背景技術】
【０００２】
中継される組織化されたスポーツの初期の年代以来、スポーツ愛好家はスポーツ・イベントの詳細および統計に関心を抱き続けてきた。それらの統計は、個々の試合、シーズン合計および生涯合計、チームおよび個々の選手両方についての履歴および記録についての統計を含みうる。テレビおよびラジオのスポーツ・チャンネル、スポーツ刊行物の増加やインターネットによって、かつてないほど多くの情報がスポーツ愛好家に利用可能となっている。しかしながら、スポーツ・イベントの現場にいるスポーツ愛好家にこのデータを供給する、信頼できかつ効率的な方法はなかった。
【０００３】
スポーツ愛好家は自らの経験を向上させるためにスポーツ・イベントに自分の電子装置を持参するのを厭いはしない。たとえば、スポーツ愛好家は個人的なラジオおよびテレビをスポーツ・イベントに持参して、ラジオで試合についてのプロのスポーツ解説を聞きながらテレビでイベントを見る。しかし、これらのスポーツ・イベント愛好家は、スポーツ・イベントを説明するために使用されるさまざまなテレビおよびラジオのフィードにアクセスするために複数の装置を使うことを望まないこともありうる。さらに、同じスポーツ・イベントのために複数のビデオ・フィードが存在することもありうるが、ユーザーはそのようなフィードに簡単にアクセスするすべをもたないであろう。その理由は、そのようなフィードを受信するためには複数のビデオ装置が必要とされるから、あるいはそのようなフィードの利用可能性を容易に利用可能にするインフラをスタジアムがもたないことがあるからである。
【発明の開示】
【課題を解決するための手段】
【０００４】
本発明は、概括的にはイベントに関するリアルタイム情報をモニタリングし、これにアクセスするためのパーソナルなビデオ・モニタリングおよび情報装置に関する。該パーソナル・ビデオ・モニタリング装置には複数のキーが設けられ、それらのキーはイベントに対応するメディア・フィードを選択するために使用される。
【０００５】
本発明は、付属の図面において例示される。
【発明を実施するための最良の形態】
【０００６】
本発明の記載される諸実施形態では、パーソナル・モニタリング・情報装置は、一般には単一のユーザーの制御下にあるか少数のユーザーによって共有されることを意図されているポータブル装置である。キーパッドまたはタッチ感応スクリーンを通じて、ユーザーは、進行中のスポーツ・イベントに関する情報または該スポーツ・イベントの参加者、該スポーツ・イベントにおけるチーム、該スポーツ・イベントの会場、スポーツ・イベントのスポンサー、該スポーツ・イベントのベンダー（vendor）についての履歴情報にアクセスしうる。ユーザーはまた、現在のイベントと同時並行して生起しているスポーツ・イベントに関する情報にもアクセスしうるし、進行中または同時並行のスポーツ・イベントに関するオーディオおよびビデオ送信にもアクセスしうる。
【０００７】
情報（データ）およびオーディオおよびビデオ送信は、無線信号を介して、イベントのところに位置しているパーソナル・モニタリング装置に送信される。図７に示されるように、中央放送ノード１００５は、オーディオ、ビデオおよびデータ・コンテンツのパーソナル・モニタリング装置１０５０への無線送信を調整する。具体的には、中央放送ノード１００５はビデオ情報（ビデオ源メディア・フィードの例として、テレビ・チャンネルまたはストリーミングされたビデオのような）を受信するが、これはテレビ受信機１０２５から受信される。ここで、そのようなビデオ情報は、ATSC、NTSC、SECAM、PAL、DVB-T、DVB-H、MPEG-2エンコードされたビデオ、H.264エンコードされたビデオ、WINDOWS  MEDIA  9エンコードされたビデオ、REAL  PLAYERエンコードされたビデオなどのようなフォーマットから選択されるものである。好ましくは、複数のビデオ情報源（チャンネル）がテレビ受信機１０２５によって受信され、ファイバー・チャンネルを介して中央放送ノード１００５に転送される。
【０００８】
ラジオ受信機１０３０はテレビ受信機１０２５と同じような仕方で動作する。ここで、受信機１０３０の点において、複数のRFおよび衛星ベースのオーディオ情報（オーディオ源メディア・フィード）が受信されることができる。好ましくは、ラジオ受信機１０３０を中央放送ノード１００５に結合するには、ファイバー・チャンネルまたはその他の種類のネットワーク接続が使用される。ネットワーク・インターフェース１０１０は、ウェブサイトおよび検索可能データベースのようなリアルタイムの更新をもつインターネットを通じた情報資源（データ源メディア・フィード）と通信するために使われるブロードバンド接続を表している。好ましくは、インターネット接続はTCP/IPをベースとするものであるが、RTPのような他の転送機構も情報の大量ダウンロードのために使用されうる。ネットワーク・インターフェース１０１０は、ストリーミング・メディアの形でインターネットを通じてビデオおよびオーディオ・コンテンツを受信するために任意的に使用されうる。ビデオおよびオーディオ情報のそのようなフォーマットは、たとえば、オーディオについてのストリーミングされるMP3ファイルおよびH.264エンコードされたビデオなどであることができる。
【０００９】
中央放送ノード１００５は、受信したオーディオ、ビデオおよびデータを、無線ネットワーク・インターフェース１０１５を通じてパーソナル・モニタリング装置１０５０に送信できるフォーマットにトランスコードするための適切なソフトウェアを含んでいる。たとえば、テレビ受信機１０２５を通じて受信されたATSCベースのビデオは典型的にはパーソナル・モニタリング装置１０５０によって使用されうるフォーマットにはなっていない。よって、中央放送ノード１００５においてソフトウェアを使って、受信されたビデオ信号を、WINDOWS  MEDIA  9、VC-1、H.264のようなストリーミングできるフォーマットにトランスコードする。同様に、ラジオ受信機１０３０から受信された受信RFおよび衛星オーディオ情報は、中央放送ノード１００５によってソフトウェアを使ってストリーミング・メディアにトランスコードされる。送信されたビデオ、オーディオおよびデータは、メディア・フィードとして知られる。
【００１０】
本発明のある任意的な実施形態では、トランスコード・プロセスは、元のデータ・ストリームの一部として送信された補助データを保持する。そのような装置は、放送者が、ATSC、DVB-H、MPEG-2などのためのようなユーザーデータ領域内の補助情報とともにビデオまたはオーディオを送信する場合に役に立つ。さらに、そのようなパケットのヘッダ内の情報またはPSIPデータのようなガイド情報は、トランスコード・プロセスにおいて保持される。よって、ATSCテレビ番組がスポーツ・スコア情報とともに送信される場合、中央放送ノード１００５は受信したビデオ信号を補助情報があるかどうか解析し、そのような情報を、パーソナル・モニタリング装置１０５０に放送されるために選択されたストリーミング・メディア・フォーマットの物理層および／またはトランスポート層にトランスコードする。
【００１１】
本発明の第二の任意的な実施形態では、中央放送ノード１００５は、受信したビデオ、オーディオおよび補助信号をパーソナル・モニタリング装置１０５０のために適切なフォーマットに変換することによって部分的なトランスコード動作を行いうる。パーソナル・モニタリング装置１０５０自身は、受信したメディア・ストリームのさらなるトランスコード動作を行いうる。たとえば、パーソナル・モニタリング装置は自分の画面サイズに基づいてスケーリングおよびトリミング１０５０を実行できる。これにより、中央放送ノード１００５においてデバイス種別ごとのトランスコードを行う負担なしに、パーソナル・モニタリング装置１０５０は、いくつかの形状因子で利用可能にされることができるようになる。
【００１２】
ひとたび中央放送ノード１００５によってデータがトランスコードされると、そのようなデータは無線ネットワーク・インターフェース１０１５を使って無線式にパーソナル・モニタリング装置に送信される。データを放送する一つの手法は、パーソナル・モニタリング装置１０５０に802.11(b)、802.11(g)などと互換な無線受信機を保持させることを利用する。無線ネットワーク・インターフェース１０１５はそれぞれのビデオ・フィードまたはオーディオ・フィードを異なる無線チャンネルで送信し、パーソナル・モニタリング装置１０５０は受信すべき所望されるビデオ・フィードまたはオーディオ・フィードに応じて一意的なチャンネルを選択する。
【００１３】
たとえば、ユーザーが野球の試合を見ていて、関連したビデオ・フィードが一塁、二塁および三塁に対応している場合、第一の送信チャンネルは一塁に対応するビデオ・フィードを選択するために使われ、第二の送信チャンネルは二塁のためのビデオ・フィードを選択するために使われる。
【００１４】
どの送信チャンネルがどのビデオ・フィードに対応するかを示す情報がパーソナル・モニタリング装置１０５０に送信されるのは、パーソナル・モニタリング装置に事前に知られている専用の制御チャンネルを介してでありうる。
【００１５】
本発明のある任意的な実施形態では、パーソナル・モニタリング装置１０５０は複数の無線ネットワーク・インターフェースを具備する。この場合、パーソナル・モニタリング装置は複数のフィードを同時に受信しうる。たとえば、ビデオ、オーディオおよび補助データが複数の電波チャンネルで送られうる。パーソナル・モニタリング装置１０５０はこれらの複数フィードを同時に受信し、次いでそれらのフィードを任意の組合せにおいて呈示するよう選択しうる。それはローカルなトランスコードを行ったあとのこともあれば、行わずにのこともある。たとえば、パーソナル・モニタリング装置１０５０はチャンネル１（論理的または物理的）でビデオ・フィードを、チャンネル２でスコア・データを、チャンネル３でラジオ局からのオーディオ・フィードに対応するオーディオ・データを受信しうる。パーソナル・モニタリング装置１０５０は、図２〜図８に示されるのと一貫する仕方で、ビデオ、オーディオおよびデータを統合するであろう。
【００１６】
第二の任意的な実施形態では、パーソナル・モニタリング装置１０５０は無線ネットワーク・インターフェース１０１５に対応するIPアドレスに接続する。無線ネットワーク・インターフェース１０１５は単一または複数のIPアドレスを有しうる。ひとたびパーソナル・モニタリング装置１０５０が無線ネットワーク・インターフェース１０１５に接続すると、各IPアドレスに対応するポート・アドレスが異なるフィードを表すために使われる。たとえば、IPアドレス192.168.0.10ポート6000は一塁に対応するビデオ・フィードに対応し、IPアドレス192.168.0.10ポート6010は二塁に対応するビデオ・フィードに対応する。スコア・データは192.168.0.10ポート6020で利用可能にされうる。さまざまなフィード（オーディオ、ビデオおよび補助データ）の同期はリアルタイム・プロトコル（RTP）のようなプロトコルを使ってなされうる。
【００１７】
もう一つの実施形態では、パーソナル・モニタリング装置は、複数の中央放送ノード１００５からフィードを受信しうる。これは、フェージングおよびその他の負のチャンネル条件を克服するために有益でありうる。
【００１８】
図１に描かれたパーソナル・モニタリング・情報装置の例示的な実施形態は、ディスプレイ２０とソフトキー（キーパッド）３０、４０をもつパーソナル・モニタリング装置１０を示している。ディスプレイ２０は任意的にタッチ感応式である。ディスプレイ２０（出力インターフェースの一例として）はモノクローム、カラーLCDディスプレイ、OLEDベースのディスプレイなどでありうる。ディスプレイ２０は、表示されている特定のアプリケーションに適合するよう構成され、タッチ感応オプションを介して、あるいはキーパッド３０、４０を通じてアクセスされうる追加的な「ソフトキー」９０をもつよう構成されうる。本ハンドヘルド装置は任意的に、タッチ感応オプションの使用を容易にするためにスタイラス７０を含むまたは統合していてもよい。
【００１９】
図１にさらに示されるように、パーソナル・モニタリング装置１０は、電話ネットワークを介して情報を受信するための電話コネクタ５０、コンピュータ・ネットワークを介して情報を受信するためのコンピュータ・インターフェース・コネクタ６０および電波周波数送信機または無線ネットワークを介して無線式に情報を受信するための少なくとも一つの固定した引き込み式のRF受信器７５を有する。パーソナル・モニタリング装置１０はオーディオ・ヘッドホン・ジャック６５（出力インターフェースの一例として）を具備する。これは、パーソナル・モニタリング装置に対してなされるオーディオ送信をユーザーが聴けるようにするヘッドホン８５の装着を容易にする。任意的に、パーソナル・モニタリング装置は、適切な大きさのオーディオ・スピーカー（出力インターフェース）を装備していてもよい。
【００２０】
パーソナル・モニタリング装置１０は、メモリ・インターフェース８０を具備しており、ここにコンパクトフラッシュ（登録商標）・メモリ・カードのような外部メモリ・カードが取り付けられうる。このカードはより大量の情報の記憶を容易にし、記憶された情報はその後パーソナル・モニタリング装置のユーザーによってアクセスされることができる。メモリ・インターフェース８０内のカードは、ユーザーが、見られている現在のイベントからの情報、当該装置に送信されたのでなく当該装置にインポートされた情報、以前のイベントからの記憶されている情報、インターネットのような上述した送信媒体以外の源からアクセスされる情報またはサードパーティー・ベンダーによって提供される情報を保存することを許容する。ユーザーは、スポーツ・イベント体験をさらに向上させるためにこの情報を調整しうる。
【００２１】
ソフトキー９０およびパーソナル・モニタリング装置１０５０の動作が図８に示されている。図８は、いくつかの異なるビデオ・チャンネルを表す番組を受信するための方法１１００を記載している。ステップ１１０５では、パーソナル・モニタリング装置１０５０は、無線ネットワーク・インターフェース１０１５から番組データを受信する。そのようなデータは、どのチャンネルまたはIPアドレスが放送イベントに関係したビデオ、オーディオおよび情報データを含んでいるかを指示する。たとえば、この情報は、種々のビデオ・フィード、オーディオ・フィードおよび情報フィードのためのIPアドレスおよびポートをリストする番組アドレス表識別情報の修正された形でありうる。好ましくは、これらのIPアドレスはIPマルチキャスト・フィードを受け容れる。
【００２２】
番組アドレス表が、種々の番組ストリームに対応するパケット・ヘッダ情報を識別する場合にも、ステップ１１０５がなされうる。ここで、ある型のヘッダ情報をもつパケットはビデオ・データに対応し、第二の型のヘッダをもつパケットはオーディオ・データに対応する。好ましくは、これらのIPアドレスはIPマルチキャスト・フィードを受け容れる。
【００２３】
ステップ１１１０では、パーソナル・モニタリング装置１０５０は、受信されたビデオ・フィード、オーディオ・フィードおよび情報フィードにソフトキー９０を割り当てる。たとえば、パーソナル・モニタリング装置１０５０は三つのソフトキー９０をもち、一つのソフトキー９０はビデオ・フィードを変えるために使われ、一つのソフトキー９０はオーディオ・フィードを変えるために使われ、一つのソフトキー９０は情報フィードを変えるために使われる。パーソナル・モニタリング装置１０５０は、この機能のために、受信されたPATを使用してもよい。ここで、ソフトキー９０のどれかを押すと、装置１０５０は一つのIPアドレスおよびポートからある第二のIPアドレスおよびポートに変わる。
【００２４】
ステップ１１１５では、装置１０５０は、本発明の例示的な諸実施形態と一貫する仕方で、無線ネットワーク・インターフェース１０１５から無線ネットワーク接続を介してビデオ・フィードを取得する。ステップ１１２０では、受信されたビデオ・フィードが装置１０５０上で表現される。ステップ１１２５では、装置１０５０はオーディオ・フィードを受信し、そのようなフィードはステップ１１３０で表現される。同様に、ステップ１１３０ではデータ・フィードが受信され、ステップ１１３５で該データ・フィードは本発明の例示的な諸実施形態と一貫する仕方で表現される。パーソナル・モニタリング装置１０５０は上記したフィードのうち一つまたは二つが同時に使われる動作をしてもよいことを注意しておく。ビデオ・フィード、オーディオ・フィードまたはデータ・フィードが表現されるかどうかをオン／オフするこの動作は、追加的なソフトキー９０または他の任意の種類の制御インターフェースを用いてなされてもよい。
【００２５】
ステップ１１４０では、ソフトキー９０の作動に反応して、装置１０５０は、第一の受信フィードから第二の受信フィードに切り替わる。ここでいうフィードは作動されたソフトキー９０に対応するものである。たとえば、ソフトキー９０がオーディオ・フィードに対応するならば、ソフトキー９０の作動は装置１０５０をして第一のオーディオ・フィードから第二のオーディオ・フィードに切り替わらせる。このステップの他の例も考えられる。
【００２６】
任意的なステップ１１４５において、ユーザーはビデオ・フィード、オーディオ・フィードおよびデータ・フィードを単一のソフトキー９０にマッピングする。このステップにより、ユーザーは、あるフィードの組合せから第二のフィードの組合せに簡単に切り替わることが許容される。このマッピングは、ソフトキー９０を数秒間押し続けることによって達成されてもよい。それにより装置１０５０がこのソフトキー９０の押下をこの所定のマッピングと関連付けるのである。本発明の原理に基づいて、他のフィードの組合せのために他のソフトキー９０が使われてもよい。
【００２７】
図２は、パーソナル・モニタリング装置上に表示されることのできる自動車レース情報を示すための例示的な表示フォーマット１００を示している。ユーザーがアクセスできる単一タッチ・キーの数の可能性を増すために、グラフィカル・ユーザー・インターフェースにソフトキー１９０が組み込まれている。キーの数およびその位置はアプリケーションに、および可能性としてはユーザーの嗜好に依存する。ディスプレイは、レース状態セクション１２０をも有しており、これは現在のレースについての情報を提供しうる。これは、ラップ・カウント、フラッグ状態、時間、レース継続時間、先頭走者、先頭変化、コーション・カウント、コーション・ラップおよびコーション下の時間といった情報を含みうる。例示的な表示フォーマットの第三の部分は、レース参加者を挙げる参加者表１３０を示す。各参加者について含められうる情報は、位置番号、自動車番号、名前、スポンサー、先頭に対する遅れ時間、現在のラップ、先頭だったラップ数などである。スプレッドシートの各列の最上行は、その下に格納される種々の情報を挙げ、任意的に、その列に関して表の情報をソートすることをユーザーに許容する。たとえば、ユーザーがどの参加者が最も多くのラップで先頭だったかを知りたい場合、ユーザーは「先頭だったラップ」列を作動させている。すると情報は任意的に先頭だったラップ数が多い順に降順でソートされる。「先頭だったラップ」の列を再び作動させると、その情報は昇順にソートされる。
【００２８】
任意的に、参加者表１３０の列１３５の一つは、それぞれの個別参加者について、車内音声を選択しうる。するとこの動作はパーソナル・モニタリング装置の電子回路を調整して、選択された参加者の車内音声がヘッドホン・ジャック６５に出力されるようになる。任意的に、ユーザーが参加者表１３０から参加者の名前を選択すると、画面は、図６に描かれるような、スポーツ・イベントにおける参加者についてのリアルタイム情報および履歴情報を表示するための例示的な表示フォーマットに変化しうる。参加者表１３０の項目の長さがイベントの参加者の数より少ない場合、表はすべての参加者が表示されるのを許容するよう圧縮されてもよいし、あるいは表示される項目数は固定のままでパーソナル・モニタリング装置のソフトウェアがユーザーに参加者表１３０をスクロールするのを許容してもよい。参加者表１３０で与えられるその他の情報のいずれかを作動させることは、その後、上記したのと同様の結果を有しうる。たとえば、ドライバーのスポンサー情報を作動させることは、スポンサーについての情報を提供する表示を作動させることになる。
【００２９】
図３は、パーソナル・モニタリング装置に表示されることのできる自動車レース情報についての第二の例示的な表示フォーマット２００を示している。この表示は図２に描かれたものと同様だが、レーストラックのグラフィック２３０が表示されている点が異なっている。レースの参加者が全地球測位システム（Global  Positioning  System）または同様のシステムを具備し、参加者の位置が中央送信局によって判別できる場合、トラックおよび互いに対する参加者の位置がパーソナル・モニタリング装置に送信されることができる。するとこれは、任意的に、ユーザーにトラックおよび一人または複数の参加者の位置のグラフィック表示を提供する。ユーザーは、レーストラック・グラフィック２３０に表示されるのがどの参加者か、そして参加者の数を選択する。レーストラック・グラフィックのために必要とされるスペースを容易にするために、参加者表２６０に挙げられる参加者の数は図２に描かれているより減らされている。短縮版の参加者表２６０は、図２に記載されたのと同様の仕方で動作する。ソフトキー２１０、トラック情報２４０、スポンサーまたは広告主情報２５０、レース状態２２０といったオプションも、ユーザーまたはシステム管理者いずれかのオプションにおいて含められることができる。ソフトキー２９０は異なるモードの間の選択をするために使われうる。
【００３０】
図４は、パーソナル・モニタリング装置上に表示されることのできるフットボール情報についての例示的な表示フォーマット３００を示す図である。装置３００はソフトキー３９０を介してトグルされる情報を表示する。そのような情報は、ゲーム状態セクション３３０および参加者表３４０のような領域に呈示される。フットボール情報についての例示的な表示フォーマット３００は、任意的に、フットボール場のグラフィック３２０を含むことができる。これは図３のレーストラック・グラフィック２３０について述べたのと同様の仕方で動作する。スポンサーまたは広告情報といった他の情報も装置３００のために含まれてもよい。
【００３１】
図５は、パーソナル・モニタリング装置上に表示されることのできる野球情報についての例示的な表示フォーマット４００を示す図である。野球情報４００についての表示はソフトキー４９０を介してトグルされる情報を表示する。そのような情報は、ゲーム状態セクション４３０および参加者表４４０のような領域に呈示される。野球情報４００についての例示的な表示フォーマットは、任意的に、野球場のグラフィック４２０を含むことができる。これはレーストラック・グラフィック２３０やフットボール・グラフィック３２０と同様の仕方で動作する。スポンサーまたは広告情報といった他の情報も野球情報についての例示的な表示フォーマット上に含まれてもよい。
【００３２】
図６は、パーソナル・モニタリング・情報装置のための電子回路の例示的なブロック図を示している。パーソナル・モニタリング・情報装置の電子回路８００は、パーソナル・モニタリング装置のために使われるさまざまな入力源および出力インターフェースを動作させる制御マイクロプロセッサ８３５を有する。たとえば、マイクロプロセッサ８２５は、RFチューナー８０５、８１０および無線ネットワーク・インターフェース８１５から入力信号を受け付ける。第一RFチューナー８０５は、NTSC、ATSC、DVB-Hなどのような空中波を通じて放送されるテレビ信号を受信することができる。AMまたはFMラジオ放送、追加的なテレビ放送などのような追加的な送信を受信するために、任意的に第二RFチューナー８１０が含められてもよい。無線インターフェース８１５は、パーソナル・モニタリング装置と無線ネットワーク・インターフェース１０１５との間の無線通信を機能させる（802.11bおよび802.11gのような無線規格の使用を通じて）。そのような送信は、上記したようなビデオ・フィード、オーディオ・フィードおよびデータ・フィードでありうる。
【００３３】
パーソナル・モニタリング装置の電子回路８００はさらに、ユーザーからコマンドを受け取るためのキーパッド８２０を有し、ビデオおよび情報を表示するために表示画面８２５が使用される。表示画面８２５はパーソナル・モニタリング装置によって受信または保存されたビデオ情報またはビデオ放送を表示することもできる。表示画面８２５がタッチ感応機能を具備する場合、表示画面８２５は、キーパッド８２０と同様の仕方で情報を受け取るためにも使用されてもよい。電子回路はさらに、パーソナル・モニタリング装置によって受信または保存されたオーディオ情報またはオーディオ放送を再生するために、任意的に、ヘッドホン・ジャック８３０およびオーディオ・スピーカー８３１を有しうる。電子回路８００はさらに、パーソナル・モニタリング装置に放送された情報を保存するために使うことのできる内部メモリ８４５および／または外部メモリ８４０を有しうる。外部メモリ８４０はさらに、ユーザーの体験をさらにパーソナル化および向上させるために、インターネット、ベンダーまたは他のスポーツ愛好家といった異なる源から供給される追加的な情報をパーソナル・モニタリング装置に導入するために使うことができる。
【００３４】
パーソナル・モニタリング装置の電子回路８００はさらに、イーサネット（登録商標）接続、I-1394接続、ファイバー接続およびモデム・インターフェース８５５といったコンピュータ・ネットワーク・インターフェース８５０を有しうる。そのようなインターフェースはユーザーに、インターネットを介して電話ベースまたはブロードバンド・ベースの源からの情報を受信または送信するオプションを提供する。電子回路８００はさらに、先に論じた諸動作および諸機能を制御するために、マイクロプロセッサまたは同様のデバイスを他の付随電子回路とともに有しうる。
【００３５】
ここでは付属の図面を参照しつつ例示的な実施形態について述べてきたが、本発明はそれらの厳密な実施形態に限定されるものではなく、本発明の範囲または精神から外れることなく当業者はそれにさまざまな他の変更および修正を施すことができることは理解しておくべきである。そうしたすべての変更および修正は付属の請求項によって定義される本発明の範囲内に含められるべきことが意図されている。
【図面の簡単な説明】
【００３６】
【図１】パーソナル・モニタリング・情報装置の例示的な絵画的な図である。
【図２】モニタリング・情報装置上に表示されることのできる自動車レース情報についての例示的な表示フォーマットを示す図である。
【図３】パーソナル・モニタリング・情報装置上に表示されることのできる自動車レース情報についての第二の例示的な表示フォーマットを示す図である。
【図４】パーソナル・モニタリング・情報装置上に表示されることのできるフットボール情報についての例示的な表示フォーマットを示す図である。
【図５】パーソナル・モニタリング・情報装置上に表示されることのできる野球情報についての例示的な表示フォーマットを示す図である。
【図６】パーソナル・モニタリング・情報装置の電子回路の例示的なブロック図である。
【図７】パーソナル・モニタリング・情報装置を実装するために使用される無線ベースのインフラの例示的なブロック図である。
【図８】パーソナル・モニタリング装置を使うメディア・フィードを選択するための方法のブロック図である。
【図１】
2008533766.tif 000003
【図２】
2008533766.tif 000004
【図３】
2008533766.tif 000005
【図４】
2008533766.tif 000006
【図５】
2008533766.tif 000007
【図６】
2008533766.tif 000008
【図７】
2008533766.tif 000009
【図８】
2008533766.tif 000010
【国際調査報告】
2008533766.tif 000011
2008533766.tif 000012
2008533766.tif 000013